(57)【要約】【課題】ロール紙を交換する際にロール紙が湿度など周囲の雰囲気の影響を受け難いロール紙マガジンを提供する。【解決手段】プリント用記録媒体としてのロール紙ＲＰがプリンタのプリント部Ｂに対して引き出し可能に収納されているロール紙マガジンＭであって、ロール紙ＲＰを密閉状に収納したロール紙カートリッジ４を、ロール紙カートリッジ４に形成されている開口部４ｃからロール紙ＲＰを引き出し、且つ、プリント部Ｂに手渡し可能な所定姿勢で装入するための被装入部１ｃを備えたロール紙マガジンとした。【選択図】図３
2008018563.tif 000002
【特許請求の範囲】
【請求項１】
プリント用記録媒体としてのロール紙が引き出し可能に収納されているロール紙マガジンであって、
前記ロール紙を密閉状に収納したロール紙カートリッジを、前記ロール紙カートリッジに形成されている開口部からロール紙を引き出し可能な所定姿勢で装入するための被装入部を備えたロール紙マガジン。
【請求項２】
前記ロール紙カートリッジの側面には、前記ロール紙マガジンの外部からの操作によって前記ロール紙の巻き芯を少なくとも巻き戻し方向に回転操作するためのアクセス手段が設けられている請求項１に記載のロール紙マガジン。
【請求項３】
前記ロール紙カートリッジの内部に調湿材が配置されている請求項１または２に記載のロール紙マガジン。
【請求項４】
プリント用記録媒体としてのロール紙が引き出し可能に収納されているロール紙マガジンであって、
前記ロール紙を引き出すための開口部を備えた密閉容器状のマガジン本体と、前記ロール紙の先端を挟持して前記開口部から引き出すための圧着ローラとを備え、さらに、前記開口部を密閉するシール手段と、前記圧着ローラの回転を阻止する回転阻止手段とが手動によって除去可能に設けられているロール紙マガジン。
【請求項５】
前記シール手段は粘着テープからなり、前記粘着テープからなる前記シール手段と前記回転阻止手段とが互いに接合されている請求項４に記載のロール紙マガジン。
【請求項６】
前記マガジン本体の側面には、前記ロール紙マガジンの外部からの操作によって前記ロール紙の巻き芯を少なくとも巻き戻し方向に回転操作するための回転操作手段が設けられており、さらに、前記回転操作手段の回転を阻止する回転阻止手段が手動によって除去可能に設けられている請求項４または５に記載のロール紙マガジン。
【請求項７】
前記マガジン本体の内部に調湿材が配置されている請求項４から６のいずれか一項に記載のロール紙マガジン。
【請求項８】
請求項１から７のいずれか一項に記されたロール紙マガジンを用いたプリンタ。
【発明の詳細な説明】
【技術分野】
【０００１】
本発明は、プリント用記録媒体としてのロール紙が引き出し可能に収納されているロール紙マガジン、及び、これを用いたプリンタに関する。
【背景技術】
【０００２】
この種のロール紙マガジンの例としては、本発明に関連する先行技術文献情報として下記に示す特許文献１がある。この特許文献１に記されたロール紙マガジンは、プリンタのマガジン用引出しに載置されて使用され、ロール紙マガジンの記録紙引き出しスリットの付近には、前記スリットを封鎖可能な弾性ロールが、マガジン用引出しをプリンタの筐体内に押込めば前記スリットを開放し、マガジン用引出しをプリンタの筐体から引き出せば前記スリットを封鎖するように、変位可能に設けられている。したがって、特許文献１のロール紙マガジンでは、特に非プリント時のロール紙マガジンをプリンタから取り出した状況において、弾性ロールがロール紙マガジンを気密状に保持するので、周辺の湿度がロール紙に与える影響を抑制できる。
【０００３】
【特許文献１】特開２００５−２７１４３３号公報（段落番号００２３〜００２４、図４、図５）
【発明の開示】
【発明が解決しようとする課題】
【０００４】
しかし、特許文献１に記されたロール紙マガジンでは、ロール紙が全て消費されて空になった巻き芯を新品のロール紙と交換する際、或いは、紙幅や面質の異なる他のロール紙と交換する際などに、ロール紙マガジンのケース体を一旦開放し、同時に、ロール紙を納品状態における密閉用のパッケージから取り出した上でケース体に収納する必要があるので、この時、ロール紙が周囲の雰囲気と直に接する機会が生じるために、ロール紙の特に外周部位や両側縁部が雰囲気中の湿度の影響を受けて、波状などに変形する、或いは、過度の乾燥状態の影響を受けて、インクの受理面に微細な亀裂が発生する虞があった。湿気で波状などに変形した場合には、プリントヘッド下で搬送される記録媒体が蛇行する、或いは、プリントヘッドから受理面までの距離が不均一となって、いずれの場合も画質に影響が出る可能性がある。他方、過度の乾燥によってインクの受理面に微細な亀裂が発生した場合にもインクの吸収率が不均一となって画質に影響が出る可能性がある。
【０００５】
そこで、本発明の目的は、上に例示した従来技術によるロール紙マガジンの持つ前述した欠点に鑑み、ロール紙を交換する際にロール紙が湿度など周囲の雰囲気の影響を受け難いロール紙マガジンを提供することにある。
【課題を解決するための手段】
【０００６】
本発明の第１の特徴構成は、プリント用記録媒体としてのロール紙が引き出し可能に収納されているロール紙マガジンであって、
前記ロール紙を密閉状に収納したロール紙カートリッジを、前記ロール紙カートリッジに形成されている開口部からロール紙を引き出し可能な所定姿勢で装入するための被装入部を備えている点にある。
【０００７】
したがって、本発明の第１の特徴構成によるロール紙マガジンでは、プリンタのユーザは、ロール紙を密閉状に収納したロール紙カートリッジを、例えばロール紙の製造者などから入手し、ロール紙カートリッジからロール紙を取り出すことなく、ロール紙カートリッジをそのままロール紙マガジンにセットすれば、ロール紙の先端がロール紙カートリッジに形成されている開口部から引き出され、ロール紙マガジンの開口部から引き出されて、プリント部に導入され、プリントを実施できるので、ロール紙の全体を周囲の雰囲気に曝す機会がなく、周囲の湿度などの影響がロール紙に及び難くなる。
【０００８】
本発明の他の特徴構成は、前記ロール紙カートリッジの側面には、前記ロール紙マガジンの外部からの操作によって前記ロール紙の巻き芯を少なくとも巻き戻し方向に回転操作するためのアクセス手段が設けられている点にある。
【０００９】
本構成であれば、ロール紙カートリッジの側面に設けられたアクセス手段を、プリンタに設けられた巻き戻し用モータの出力軸などに連結させることで、一旦ロール紙カートリッジからプリント部へと引き出されたロール紙を、プリント終了時などにロール紙カートリッジ内に再び巻き戻すことで、ロール紙の先頭部がプリンタの筐体内の雰囲気に長期間曝されることを防止できる。
【００１０】
本発明の他の特徴構成は、ロール紙カートリッジの内部に調湿材が配置されている点にある。
【００１１】
本構成であれば、調湿材の作用によってロール紙カートリッジの内部が調湿材の固有調整湿度付近に保たれ易いので、ロール紙マガジン内に一つのロール紙カートリッジを長期間にわたって装入したままにしても、中身のロール紙がプリンタの筐体内の雰囲気の影響を受け難くなる。
【００１２】
本発明の第４の特徴構成は、プリント用記録媒体としてのロール紙が引き出し可能に収納されているロール紙マガジンであって、
前記ロール紙を引き出すための開口部を備えた密閉容器状のマガジン本体と、前記ロール紙の先端を挟持して前記開口部から引き出すための圧着ローラとを備え、さらに、前記開口部を密閉するシール手段と、前記圧着ローラの回転を阻止する回転阻止手段とが手動によって除去可能に設けられている点にある。
【００１３】
したがって、本発明の第４の特徴構成によるロール紙マガジンでは、プリンタのユーザは、ロール紙の製造者などから、既にロール紙がマガジン本体に収納された形態のロール紙マガジンを入手し、シール手段と回転阻止手段とを除去し、ロール紙の先端が開口部から突出するまで圧着ローラを手動で僅かに回転させた上で、プリンタにセットすれば、プリント操作を開始できるので、ロール紙の全体を周囲の雰囲気に曝す機会がなく、周囲の湿度などの影響がロール紙に及び難くなる。
【００１４】
本発明の他の特徴構成は、前記シール手段は粘着テープからなり、前記粘着テープからなる前記シール手段と前記とが互いに接合されている点にある。
【００１５】
本構成であれば、プリンタのユーザは、ロール紙が収納されたロール紙マガジンを入手した後は、回転阻止手段を圧着ローラから取外し、そのままロール紙マガジンから引き離せば、回転阻止手段に接合されている粘着テープも自動的に剥がされるので、ロール紙マガジンのセットが簡単に済む。
【００１６】
本発明の他の特徴構成は、前記マガジン本体の側面には、前記ロール紙マガジンの外部からの操作によって前記ロール紙の巻き芯を少なくとも巻き戻し方向に回転操作するための回転操作手段が設けられており、さらに、前記回転操作手段の回転を阻止する回転阻止手段が手動によって除去可能に設けられている点にある。
【００１７】
本構成であれば、マガジン本体の側面の回転操作手段をプリンタに設けられた巻き戻し用モータの出力軸などに連結させることで、一旦ロール紙マガジンからプリント部へと引き出されたロール紙を、プリント終了時などにロール紙マガジン内に再び巻き戻すことで、ロール紙の先頭部がプリンタの筐体内の雰囲気に長期間曝されることを防止できる。また、ロール紙マガジンをプリンタに初回セットする迄は、回転操作手段と圧着ローラとは回転阻止手段によって回転を阻止されているので、ロール紙の先端を圧着ローラに圧着させ、且つ、圧着ローラに圧着されたロール紙部位からロールの本体へと延びる部位を弛ませた状態で保持させることができる。従って、使用前の輸送中や保管中などに振動や収縮によってロール紙が圧着ローラからの引っ張り力で切断され難くなる。
【００１８】
本発明の他の特徴構成は、前記マガジン本体の内部に調湿材が配置されている点にある。
本構成であれば、調湿材の作用によってロール紙マガジンの内部が調湿材の固有調整湿度付近に保たれ易いので、プリンタ内に一つのロール紙マガジンを長期間に亘ってセットしたままにしても、中身のロール紙がプリンタの筐体内の雰囲気の影響を受け難くなる。
【発明を実施するための最良の形態】
【００１９】
以下に本発明による最良の実施形態について図面を参照しながら説明する。
図１及び図２に示すプリンタは、プリント部Ｂに設けられた微細なノズルからインク液滴を記録紙に向けて吐出するインクジェットプリンタである。また、このプリンタでは、使用可能な記録紙として、両面にレジンコート層を形成した基材の一方の面に、微細な孔を多数形成した多孔質インク受容層を形成することにより、表面に光沢を持たせた多孔タイプの記録紙がロール状に巻き取られたものを想定している。
【００２０】
〔プリンタの概略構成〕
このインクジェットプリンタは、プリンタ本体の外殻を構成する筐体１０の下方に配置された２つのマガジン収容部Ａ１、Ａ２、筐体１０の上方に配置されたプリント部Ｂ、筐体１０の側部にインク貯留部Ｃを有する。筐体１０の上面部には、比較的小さいサイズの仕上がりプリントＰ′を横送りベルト１１で送り出す仕分け部１２と、大きいサイズの仕上がりプリントＰ′を受け止めるラック板１３とが設けられている。
【００２１】
２つのマガジン収容部Ａ１、Ａ２は、互いに上下に位置する関係に配置され、何れのマガジン収容部Ａも前後方向に移動可能なドロワー１５を備え、これらのドロワー１５は、ロール紙が収納されたペーパマガジンＭ（ロール紙マガジンの一例）を載置するための支持台部１５ａと、支持台部１５ａの前端に固定されたマガジンカバー１５ｂとからなる。オペレータがドロワー１５を引き出すと、支持台部１５ａに載置されたペーパマガジンＭにアクセスでき、ドロワー１５を完全に押し込むと、ペーパマガジンＭなどを収容した内部空間がマガジンカバー１５ｂによって外部と遮断される。このペーパマガジンＭは、ロール紙ＲＰを収容するためのケース１を備え、ケース１にはロール紙ＲＰを圧着してプリント部Ｂに向けて送り出す圧着型のフィードローラ３が備えられている。
【００２２】
プリント部Ｂでは、ペーパマガジンＭ内のロール紙ＲＰから引き出されて供給される記録紙Ｐに対して、プリントヘッドＨでのインクの吹き付けによって画像のプリントが行われる。プリント部Ｂの前面は、透明な樹脂製の窓部Ｗを備えた揺動式のカバー１０Ｂによって通常は閉じられている。
【００２３】
インク貯留部Ｃには、縦向き姿勢の軸芯周りで揺動開閉自在な側部カバー１０Ｃの内部に、互いにインク色相の異なる複数のインクカートリッジ１６が交換自在に配置されている。尚、夫々のインクカートリッジ１６は、ブラック（ＢＫ）、ライトブラック（ＬＫ）、シアン（Ｃ）、マゼンタ（Ｍ）、ライトシアン（ＬＣ）、ライトマゼンタ（ＬＭ）、イエロー（Ｙ）のインクを封入した７色のものが使用される。図面には示していないが、このインクジェットプリンタは、インクカートリッジ１６に封入されたインクを空気圧によって送り出し、サブタンク（図示せず）に一時的に貯留した後、プリントヘッドＨに供給するインクの供給系を備えている。
【００２４】
〔搬送系の構成〕
図３、図４に示すように、このインクジェットプリンタに設けられた搬送系は、ペーパマガジンＭから提供された記録紙Ｐを、供給経路Ｕ１を介してプリント部Ｂに供給し、このプリント部Ｂではプリント搬送ユニットＵ２によって搬送を行いながらプリント処理を実行し、プリント後の記録紙ＰはカッターユニットＵ３でプリントサイズに切断し、その後、スイッチバックユニットＵ４から排出ユニットＵ５に搬送して送り出す。
供給経路Ｕ１は、下側のペーパマガジンＭから送り出された記録紙Ｐを上方にガイドするように、上側のマガジン収容部Ａに備えられたガイド体１８と、上側のペーパマガジンＭから送り出された記録紙Ｐを上方にガイドするガイド体１９とを備えている。
【００２５】
プリント搬送ユニットＵ２は、プリントヘッドＨの上流側に配置された圧着型の第１搬送ローラ２１、プリントヘッドＨの下流側に配置された圧着型の第２搬送ローラ２２、及び、第１、第２搬送ローラ２１、２２の中間位置において記録紙Ｐの裏面側を案内する案内プレート２３を備えている。案内プレート２３には多数の貫通孔が形成されており、案内プレート２３の下方位置には、これらの貫通孔と連通した負圧ケース２４と、負圧ケース２４の内部の空気を排出することで負圧ケース２４内の気圧を下げて、記録紙Ｐを案内プレート２３に押し付けるためのファン２５とを備えている。
【００２６】
第１搬送ローラ２１は、記録紙Ｐを圧着搬送するための従動ローラ２１Ａを備え、第２搬送ローラ２２は、記録紙Ｐを圧着搬送するための従動ローラ２２Ａを備え、第１搬送ローラ２１と第２搬送ローラ２２とは駆動ベルト２６によって同期駆動される（図４を参照）。そして、プリント搬送ユニットＵ２には、第１搬送ローラ２１と第２搬送ローラ２２とを同期して駆動する第２モータＤ２を備えている。
【００２７】
図４に示すように、プリントヘッドＨを支持するキャリッジ２９は、主走査方向（記録紙Ｐの幅方向）に沿う姿勢で配置されたガイドレール２７に沿って摺動移動するスライダ２８の下面に懸架されている。
また、ガイドレール２７の両端部付近に配置した一対のプーリ３０にタイミングベルト型の駆動ベルト３１を巻回し、一方のプーリ３０を主走査用の走査モータＤＳの駆動軸に連結し、駆動ベルト３１の一端にキャリッジ２９が固定されている。走査モータＤＳによってプーリ３０を駆動回転させると、プリントヘッドＨをキャリッジ２９と共に往復移動させることができる。
【００２８】
そこで、記録紙Ｐに画像をプリントする際には、先ず記録紙Ｐを第１、第２搬送ローラ２１、２２によって案内プレート２３上のプリント位置に供給し、負圧によって記録紙Ｐを案内プレート２３に軽く押し付けた状態で、キャリッジ２９を主走査方向に沿う一方の方向に移動させ乍ら、この移動と連係してプリントヘッドＨから記録紙Ｐにインクを吐出することにより設定されたプリント幅で画像のプリントを行う。
【００２９】
また、前記移動に基づいてキャリッジ２９が主走査方向の端部に達した後に、第２モータＤ２で第１、第２搬送ローラ２１、２２を駆動することによりプリント幅に対応した単位搬送量だけ記録紙Ｐを副走査方向に搬送し、この後、キャリッジ２９を主走査方向に沿う他方（逆方向）に移動させ乍ら、この移動と連係してプリント幅での次のプリントを行い、このようなプリントを反復することにより記録紙Ｐに二次元画像のプリントが行われる。
【００３０】
カッターユニットＵ３は、図３、図４に示すように、フレーム（図示せず）に固定された固定刃３５、可動刃３６、カッターモータＤＣ、及び、カッターモータＤＣからの回転駆動力を往復作動力に変換して可動刃３６に伝えるクランク式の駆動機構３７を備える。カッターユニットＵ３の下流側には、カッターユニットＵ３の切断位置を通過した記録紙Ｐを送り出す圧着型の排出ローラ３８と、この排出ローラ３８を駆動する第３モータＤ３を備えている。
【００３１】
スイッチバックユニットＵ４は、駆動ローラ４０、駆動ローラ４０を回転駆動する駆動モータ、駆動ローラ４０に圧着する位置に配置された遊転型の反転ローラ４１と、反転ローラ４１を駆動ローラ４０の軸芯周りで正逆両方向に９０度作動させる反転機構とを備えている。このスイッチバックユニットＵ４では、上流側の排出ローラ３８によって先端側から先に送り込まれる記録紙Ｐを、駆動ローラ４０と反転ローラ４１とで圧着した状態で更に搬送した後、図３の矢印で示すように、反転ローラ４１を駆動ローラ４０の軸芯周りで９０度回転させた後、駆動ローラ４０を逆回転させることにより、記録紙Ｐを後端側から排出ユニットＵ５に送り出すことで、記録紙Ｐの表裏が反転操作される。スイッチバックユニットＵ４は、駆動ローラ４０を駆動する第４モータＤ４と、反転ローラ４１を反転作動させる反転モータ（不図示）を備えている。
【００３２】
排出ユニットＵ５は、記録紙Ｐを搬送する複数の圧着ローラ４５を備えると共に、この圧着ローラ４５で搬送される記録紙Ｐを筐体上部の横送りベルト１１とラック板１３との何れかに送り出す経路切り換え機構（図示せず）を備えている。排出ユニットＵは圧着ローラ４５を駆動する第５モータＤ５を備えている。
【００３３】
〔ペーパマガジンの構成〕
ペーパマガジンＭが備えるケース１は、図３と図５に示すように、下方ケース１ａと、下方ケース１ａの一端に備えられた水平な軸芯回りで揺動可能な上方ケース１ｂとを備える。下方ケース１ａには、前述したフィードローラ３、及び、ロール紙ＲＰを引き出すための開口部２が設けられている。フィードローラ３の一方と一体連結された操作軸３ａは、下方ケース１ａの側面から外部に延出しており、操作軸３ａの端部に固定されたピニオンギヤ３ｂを介して、インクジェットプリンタの本体に設けられたペーパ供給用の駆動モータ（不図示）によって回転駆動される（図２ではピニオンギヤ３ｂが略されている）。
【００３４】
下方ケース１ａの底面には、ロール紙カートリッジ４を所定の姿勢で支持する支持凹部１ｃ（被装入部の一例）が設けられている。ロール紙カートリッジ４は、ロール紙ＲＰを収納した樹脂製の容器であり、内部のロール紙ＲＰを所期の一定湿度に保持するべく密閉状になっている。
ロール紙カートリッジ４は、円筒状のカートリッジ本体４ａと、カートリッジ本体４ａの外周の一部から径方向外向きに突出した突出部４ｂとを一体的に備え、突出部４ｂの先端には内部に収納された記録紙Ｐを引き出すための開口部４ｃが形成されている。
【００３５】
図６に示すように、カートリッジ本体４ａの両側面に形成された貫通孔４ｄには、ロール紙ＲＰを巻回したスプール５（アクセス手段の一例）が回転自在に支持されており、貫通孔４ｄから外部に延出したスプール５の両端部は、ペーパマガジンＭの側面に形成された円形の貫通孔１Ｈから更に外部に延出し、インクジェットプリンタの本体に設けられた巻き戻しモータＤＲによって回転駆動可能に構成されている。尚、巻き戻しモータＤＲの駆動軸とスプール４ｂとの間には、巻き戻しモータＤＲの駆動状態と無関係にフィードローラ３によるスプール４ｂのペーパ繰り出し方向の回転を許すワンウェイクラッチ機構７が設けられている。また、ロール紙カートリッジ４の外面には、ペーパマガジンＭ内におけるロール紙カートリッジ４の位置と姿勢を一義的に決めるための位置決め突起４ｅが形成されている。
【００３６】
ロール紙カートリッジ４は、未使用の状態においては、図５（ａ）に例示するように、記録紙Ｐの先端が開口部４ｃから僅かに引き出され、突出部４ｂの一部に接着テープ８などで固定されている。したがって、この未使用のロール紙カートリッジ４をプリンタにセットする際には、先ず、マガジン収容部Ａ１（Ａ２）のドロワー１５を引出し、ペーパマガジンＭの上方ケース１ｂを開放しておき、次に、新しいロール紙カートリッジ４の接着テープ８を剥がし、記録紙Ｐをさらに引出し、ロール紙カートリッジ４をペーパマガジンＭの下方ケース１ａに載置し、記録紙Ｐの先端をフィードローラ３に圧着させ、さらに、ペーパマガジンＭの開口部２を介して所定長さ分の記録紙ＰをペーパマガジンＭ外に出した状態で、ペーパマガジンＭの上方ケース１ｂを閉じて、ドロワー１５を押込めば、内部のロール紙ＲＰをロール紙カートリッジ４外の空気に一度も曝すことなくセットが完了する。また、カートリッジ本体４ａの内面には、ロール紙カートリッジ４の内部を適切な湿度に保持する機能を備えた調湿材６が取り付けられている。
中身のロール紙ＲＰを使い切った後のロール紙カートリッジ４は、ロール紙の製造者に返却し、そこで再び新たなロール紙ＲＰを装填して、ユーザに供給するという通い箱的な使用形態にも適している。
【００３７】
〔制御系の構成〕
筐体１０内に設けられた制御装置５０は、マイクロプロセッサを備えており、プログラム（ソフトウエア）で成る搬送制御手段と、プリント制御手段と、調湿制御手段とを備えている。この制御装置５０は、プリントヘッドＨ、供給経路Ｕ１、プリント搬送ユニットＵ２、カッターユニットＵ３、スイッチバックユニットＵ４、及び、排出ユニットＵ５を制御するための出力系を備える。
【００３８】
制御装置５０によるプリント処理では、プリントヘッドＨが主走査方向に作動する毎に、このプリントヘッドＨによるプリント幅に対応した量だけ記録紙Ｐの搬送を行い、次に、プリント処理後の記録紙ＰをカッターユニットＵ３において必要とするサイズに切断し、このように切断された記録紙ＰをスイッチバックユニットＵ４において表裏を入れ換えた状態で排出ユニットＵ５に送り、この排出ユニットＵ５から横送りベルト１１あるいはラック板１３に排出する。
【００３９】
このようにプリント処理が行われた後には、設定時間が経過するまでに、次のプリント処理を行う場合には、前述と同様に、プリント搬送ユニットＵ２に記録紙Ｐを供給すると共に、プリント処理後の記録紙ＰをカッターユニットＵ３において必要とするサイズに切断し、このように切断された記録紙ＰをスイッチバックユニットＵ４において表裏を入れ換えた状態で排出ユニットＵ５に送り、この排出ユニットＵ５から横送りベルト１１あるいはラック板１３に排出する制御を行う。しかし、先に行われたプリント処理から設定時間以内にプリントが行われない場合、又は、作業を終了する際には、ペーパマガジンＭに対して記録紙Ｐを巻き戻す処理が行われる。
【００４０】
このような処理を制御装置５０に行わせることにより、ペーパマガジンＭから記録紙Ｐが引き出された状態が長時間継続しないようにしており、継続してプリントを行わない場合には記録紙Ｐをロール紙カートリッジ４内に巻き取り、ロール紙カートリッジ４内において記録紙Ｐの湿度を適正に維持できるようにしている。
【００４１】
〔別実施形態〕
上記実施形態のペーパマガジンＭの代わりに、図７と図８に例示するような、前述のロール紙カートリッジ４の機能を兼ね備えたペーパマガジンＭ′を用いても良い。すなわち、このペーパマガジンＭ′はロール紙の製造者がロール紙ＲＰを密封状態でユーザに届けるためのロール紙カートリッジとしても機能し、同時に、ドロワー１５内の支持台部１５ａにペーパマガジンとして直接載置できる。
【００４２】
ペーパマガジンＭ′は、ロール紙ＲＰを引き出すための開口部５２を備えた密閉容器状のマガジン本体５１と、ロール紙ＲＰの先端を挟持して開口部５２から引き出すための圧着ローラ５３とを備え、さらに、開口部５２を密閉する粘着テープ５６（シール手段の一例）と、圧着ローラ５３の回転を阻止するキャップ状の回転ストッパ５５（回転阻止手段の一例）とが手動によって除去可能に設けられている。マガジン本体５１の側面には、一方の圧着ローラ５３に連結された操作軸５３ａと、操作軸５３ａの端部に固定されたピニオンギヤ５３ｂとが延出されており、後述する回転ストッパ５５の作用部５５ａはこのピニオンギヤ５３ｂに係止されている。
【００４３】
ロール紙ＲＰは樹脂製のスプール５４（巻き芯の一例）に巻回されており、このスプール５４の両端５４ａは、マガジン本体５１の側面に形成された貫通孔５１ｃに回転自在に支持されている。スプール５４の一方の端部５４ａは、インクジェットプリンタの本体に設けられた巻き戻しモータ（最初の実施形態で記載した巻き戻しモータＤＲと同様のもの）によって、ロール紙ＲＰを巻き戻し方向に回転操作するための回転操作手段として用いられる。
【００４４】
尚、前述したキャップ状の回転ストッパ５５には、圧着ローラ５３の回転を阻止するための作用部５５ａと別に、スプール５４の一方の端部５４ａと係合してその回転を阻止するための作用部５５ｂが設けてあり、ペーパマガジンＭ′が未使用の状態では、圧着ローラ５３とスプール５４の双方が単一の回転ストッパ５５によって回転を阻止されている。また、前述した粘着テープ５４の一端は回転ストッパ５５に接合されているので、ユーザは回転ストッパ５５を抜き取って、そのままペーパマガジンＭ′から引き離せば粘着テープ５４も剥がされ、インクジェットプリンタにセット可能な状態になる。
【００４５】
未使用のペーパマガジンＭ′をインクジェットプリンタにセットする際には、先ず、マガジン収容部Ａ１（Ａ２）のドロワー１５を引出し、不要なペーパマガジンＭ′を取り出し、次に、新しいロール紙マガジンＭ′の回転ストッパ５５と粘着テープ５６を剥がし、圧着ローラ５３のピニオンギヤ５３ｂを手動で操作することで、記録紙Ｐの先端を開口部５２から所定量だけ送り出しておき、次に、図７に示すように、ペーパマガジンＭ′をドロワー１５の支持台部１５ａに直接載置し、ドロワー１５を押込めば、内部のロール紙ＲＰをペーパマガジンＭ′外の空気に一度も曝すことなくセットが完了する。ペーパマガジンＭ′のインクジェットプリンタへのセットが完了すると、ピニオンギヤ５３ｂはインクジェットプリンタの本体側に設けられた駆動装置と自動的に連結され、圧着ローラ５３によるプリント部Ｂに向けての記録紙Ｐの引出しが可能となる。
【００４６】
尚、マガジン本体５１の内面にも、ペーパマガジンＭ′の内部を適切な湿度に保持する機能を備えた調湿材５７が取り付けられている。
中身のロール紙ＲＰを使い切った後のペーパマガジンＭ′は、ロール紙の製造者に返却し、そこで再び新たなロール紙ＲＰを装填して、ユーザに供給するという通い箱的な使用形態にも適している。
【図面の簡単な説明】
【００４７】
【図１】本発明に係るロール紙マガジンを用いたプリンタの外観を示す斜視図
【図２】図１のプリンタの別の状態における外観斜視図
【図３】図１のプリンタの内部を部分的に示す構成図
【図４】図１のプリンタのプリント部付近を示す斜視図
【図５】本発明の一実施形態によるロール紙マガジンを示す斜視図
【図６】図５のロール紙マガジンの一部を示す一部破断正面図
【図７】本発明の別の実施形態によるロール紙マガジンを示す一部破断側面図
【図８】図７のロール紙マガジンの外観を示す斜視図
【符号の説明】
【００４８】
Ａ１、Ａ２  マガジン収容部
Ｂ  プリント部
Ｃ  インク貯留部
Ｄ２  第２モータ
Ｄ５  第５モータ
ＤＳ  走査モータ
ＤＲ  巻き戻しモータ
Ｈ  プリントヘッド
Ｍ  ペーパマガジン（ロール紙マガジン）
Ｍ′  ペーパマガジン（ロール紙マガジン）
Ｐ  記録紙
Ｐ′  仕上がりプリント
ＲＰ  ロール紙
１  ケース
３  フィードローラ
１０  筐体
１０Ｂ  カバー
１０Ｃ  側部カバー
１２  仕分け部
１３  ラック板
１５  ドロワー
１５ａ  支持台部
１５ｂ  マガジンカバー
１６  インクカートリッジ
１８  ガイド体
１９  ガイド体
２１  第１搬送ローラ
２２  第２搬送ローラ
２３  案内プレート
２４  負圧ケース
２５  ファン
２６  駆動ベルト
２７  ガイドレール
２８  スライダ
２９  キャリッジ
４５  圧着ローラ
５１  マガジン本体
５２  開口部
５３  圧着ローラ
５３ｂ  ピニオンギヤ
５４  スプール（巻き芯、回転操作手段）
５５  回転ストッパ（回転阻止手段）
５６  粘着テープ（シール手段）
５７  調湿材
【図１】
2008018563.tif 000003
【図２】
2008018563.tif 000004
【図３】
2008018563.tif 000005
【図４】
2008018563.tif 000006
【図５】
2008018563.tif 000007
【図６】
2008018563.tif 000008
【図７】
2008018563.tif 000009
【図８】
2008018563.tif 000010